(57)【要約】【課題】洗い、すすぎ、脱水の各行程を備えた洗濯機において、簡単な構造で外槽の内壁面や内槽の外壁面を使用者から見えるようにし、かびの発生やかび除去の効果をわかるようにし、使い勝手のよい安心感のある洗濯機を提供する。【解決手段】洗濯物を収容する内槽４を外槽１７内に内包し、この外槽１７を外郭１６内に内包する。使用者が内槽の外壁面を点検するために外郭１６の前面、左右側面のいずれかの一部に点検口１８を設ける。【選択図】  図１
2004222977.tif 000002
【特許請求の範囲】
【請求項１】
洗濯物を収容する内槽と、この内槽を内包した外槽と、この外槽を内包した外郭とを備え、前記外郭の前面、左右側面のいずれかの一部に点検口を設けた洗濯機。
【請求項２】
外槽を透明または半透明性を有する材料で形成した請求項１記載の洗濯機。
【請求項３】
洗濯物を収容する内槽と、この内槽を内包した外槽と、この外槽を内包した外郭とを備え、前記内槽の一部に穴を設け、前記穴を覆う蓋を設けた洗濯機。
【請求項４】
蓋を洗剤収納ケースとした請求項３記載の洗濯機。
【請求項５】
洗濯物を収容する内槽と、この内槽を内包した外槽と、この外槽を内包した外郭とを備え、前記内槽と前記外槽の間に点検部材を配置した洗濯機。
【発明の詳細な説明】
【０００１】
【発明の属する技術分野】
本発明は、洗い、すすぎ、脱水の各行程を備えた洗濯機に関するものである。
【０００２】
【従来の技術】
従来、この種の洗濯機は図５に示すような構成が提案されている。以下、その構成について説明する。
【０００３】
図５に示すように、外郭１は、内部に複数のサスペンション２によって弾性的に吊り下げた外槽３を設け、脱水時の振動を吸収する構成としている。外槽３の内部には、洗濯物を収容する内槽４を脱水軸５を中心に回転可能に配設し、内槽４の内底部には、衣類（洗濯対象物）を撹拌する回転翼６を洗濯軸７を中心に回転自在に配設している。内槽４の内部周壁には小孔（図示せず）を多数設けるとともに、上方には流体バランサー８を設けている。
【０００４】
外槽３の底部にはモータ９を配設し、その回転力を洗濯時は洗濯軸７に伝達し、脱水時は脱水軸５に切り換えて伝達するクラッチ１０を介して、内槽４または回転翼６に連結している。
【０００５】
外郭１の上部には開口部を有する外郭カバー１１を配設し、その開口部を開閉自在に覆う外蓋１２、操作表示手段を有する制御装置１３、内槽４に給水する給水弁１４などを設けている。外槽３の底部には外槽３外に水を排水する排水弁１５を設けている。
【０００６】
制御装置１３は、マイクロコンピュータを具備し、モータ９、クラッチ１０、給水弁１４、排水弁１５等の動作を制御し、洗い、すすぎ、脱水の一連の行程を逐次制御する（例えば、特許文献１参照）。
【０００７】
上記構成において動作を説明する。洗い行程では、外蓋１２を開けて、内槽４に衣類を投入し運転を開始すると給水弁１４が開き、所定の水位まで給水された後、モータ９を駆動する。伝達機構部のクラッチ１０によりモータ９の動力が洗濯軸７を介して回転翼６に伝達されて回転し衣類を撹拌し、衣類どうしまたは内槽４や回転翼６との接触により作用する機械力と水流により衣類の洗浄が行われる。
【０００８】
脱水行程では、洗濯終了後、排水弁１５を開いて内槽４内の水を排水した後、クラッチ１０を脱水側に切り換えて、モータ９の動力を脱水軸５に伝達して内槽４を回転させ、遠心力により衣類から水分を分離させる。
【０００９】
【特許文献１】
特開平４−１５２９８３号公報
【００１０】
【発明が解決しようとする課題】
近年、外槽３の内壁面や内槽４の外壁面に発生するかびが話題となっている。これらの部分には洗剤かす（金属石鹸）が付着し、また、適度な湿気も存在することから多かれ少なかれかびが発生することとなる。そのため、かびを除去するための専用洗剤も数多く発売され、また、洗濯機にもかびを除去するための専用コースを設けたものが発売され、これらを多くの人が利用している。
【００１１】
しかしながら、このような従来の構成では、外槽３の内壁面や内槽４の外壁面は使用者から見えないため、かびが発生しているのか、発生していないのか、どの程度発生しているのかを知ることができないという問題を有していた。
【００１２】
さらに、かびを除去するための専用洗剤を使用した後もどのくらい除去できたのか、その効果の確認もできないという問題も有していた。
【００１３】
本発明は上記課題を解決するもので、簡単な構造で外槽の内壁面や内槽の外壁面を使用者から見えるようにし、かびの発生やかび除去の効果をわかるようにし、使い勝手のよい安心感のある洗濯機を提供することを目的としている。
【００１４】
【課題を解決するための手段】
本発明は上記目的を達成するために、洗濯物を収容する内槽を外槽内に内包し、この外槽を外郭内に内包し、外郭の前面、左右側面のいずれかの一部に点検口を設けたものである。
【００１５】
これにより、使用者は外槽に付着したかびの状況を目視で確認することができ、かびを除去する時期やかびを除去した後の効果の確認をすることができ、使い勝手のよい安心感のある洗濯機を提供することができる。
【００１６】
【発明の実施の形態】
本発明の請求項１に記載の発明は、洗濯物を収容する内槽と、この内槽を内包した外槽と、この外槽を内包した外郭とを備え、前記外郭の前面、左右側面のいずれかの一部に点検口を設けたものであり、使用者は点検口を通して外槽に付着したかびの状況を目視で確認することができ、かびを除去する時期やかびを除去した後の効果の確認をすることができ、使い勝手のよい安心感のある洗濯機を提供することができる。
【００１７】
請求項２に記載の発明は、上記請求項１に記載の発明において、外槽を透明または半透明性を有する材料で形成したものであり、点検口を開けただけで外槽の内壁面のかびの状態を目視で確認することができる。また、透明の材料であれば、内槽の外壁面に付着したかびの状況も併せて確認することができる。
【００１８】
請求項３に記載の発明は、洗濯物を収容する内槽と、この内槽を内包した外槽と、この外槽を内包した外郭とを備え、前記内槽の一部に穴を設け、前記穴を覆う蓋を設けたものであり、蓋を外せば外槽の内壁面が見えることとなり、かびの発生状況を確認することができ、かびを除去する時期やかびを除去した後の効果の確認をすることができ、使い勝手のよい安心感のある洗濯機を提供することができる。
【００１９】
請求項４に記載の発明は、上記請求項３に記載の発明において、蓋を洗剤収納ケースとしたものであり、内槽に設けた穴を覆うだけのために蓋を構成する必要がなく、安価に見映えよくすることができる。
【００２０】
請求項５に記載の発明は、洗濯物を収容する内槽と、この内槽を内包した外槽と、この外槽を内包した外郭とを備え、前記内槽と前記外槽の間に点検部材を配置したものであり、使用者が点検部材を引き出してかびの発生状況を確認することができ、使い勝手を向上することができる。
【００２１】
【実施例】
以下、本発明の実施例について、図面を参照しながら説明する。なお、従来例と同構成のものは同一符号を付してその説明を省略する。
【００２２】
（実施例１）
図１（全体の縦断面図）、図２（全体の外観斜視図）に示すように、外郭１６は、内部に複数のサスペンション２によって弾性的に吊り下げた外槽１７を設け、脱水時の振動を吸収する構成としている。この外郭１６の前面に点検口１８を設けており、点検扉１９を蝶番２０を介して外郭１６に開閉自在に取り付けている。ここで、外槽１７は透明または半透明性を有する材料、例えば透明の樹脂やポリプロピレンなどの半透明性を有する樹脂などで構成している。
【００２３】
上記構成において、使用者は点検扉１９を開けて点検口１８から内部を見れば外槽１７や内槽４を確認することができ、もし外槽１７の内壁面や内槽４の外壁面にかびが発生していれば目視で確認することができる。
【００２４】
このように本実施例によれば、外郭１６の前面に点検口１８を設けたので、使用者は点検口１８を通して外槽１７に付着したかびの状況を目視で確認することができ、かびを除去する時期やかびを除去した後の効果の確認をすることができ、使い勝手のよい安心感のある洗濯機を提供することができる。
【００２５】
また、外槽１７を透明または半透明性を有する材料で形成したので、点検口１８を開けただけで外槽１７の内壁面のかびの状態を目視で確認することができる。また、透明の材料であれば、内槽４の外壁面に付着したかびの状況も併せて確認することができる。
【００２６】
なお、本実施例では、点検口１８を外郭１６の前面に設けているが、左右側面に設けてもよく、同様の作用、効果を得ることができる。
【００２７】
（実施例２）
図３に示すように、内槽２１は、洗濯物を収容するもので、外郭（図示せず）内に内包した外槽（図示せず）内に内包し、この内槽２１の一部に穴２２を設け、この穴２２を覆うように蓋２３を着脱自在に設けており、蓋２３を洗剤収納ケースと兼用している。
【００２８】
上記構成において、洗剤を投入するとき、図３に示すように、洗剤収納ケースを兼ねる蓋２３を穴２２が開く状態にし、蓋２３の上に洗剤を載せて蓋２３を閉じると内槽２１と外槽の間に洗剤を投入することができる。また、使用者は蓋２３、すなわち洗剤収納ケースを外せば、外槽の内壁面を目視で確認することができ、上記実施例１と同様に、かびの発生状況を知ることができる。
【００２９】
このように本実施例によれば、内槽２１の一部に穴２２を設け、穴２２を覆う蓋２３を設けたので、蓋２３を外せば外槽の内壁面が見えることとなり、かびの発生状況を確認することができ、かびを除去する時期やかびを除去した後の効果の確認をすることができ、使い勝手のよい安心感のある洗濯機を提供することができる。
【００３０】
また、蓋２３を洗剤収納ケースとしたので、内槽２１に設けた穴２２を覆うだけのために蓋２３を構成する必要がなく、安価に見映えよくすることができる。
【００３１】
なお、本実施例では、蓋２３を着脱自在な構成としたが、回転自在な構成でもよく、要は蓋２３を開けて内部が見える構成であればよい。
【００３２】
（実施例３）
図４に示すように、点検部材２４は、かびの発生状況を点検するもので、内槽４と外槽３の間に配置しており、この点検部材２４は外蓋１２を開けて上方へ引き出し可能に設けている。
【００３３】
上記構成において、かびの発生状況を点検する点検部材２４を内槽４と外槽３の間に配置しているため、内槽４の外壁面や外槽３の内壁面にかびが発生していれば、点検部材２４にもほとんど同じ状況でかびが発生することとなる。このため、使用者が点検部材２４を引き出して、点検部材２４に発生しているかびの状況を確認すれば、外槽３や内槽４に発生しているかびの状況を推測することができる。
【００３４】
このように本実施例によれば、内槽４と外槽３の間に点検部材２４を配置したので、使用者が点検部材２４を引き出してかびの発生状況を確認することができ、使い勝手を向上することができる。
【００３５】
【発明の効果】
以上のように、本発明の請求項１に記載の発明によれば、洗濯物を収容する内槽を外槽内に内包し、この外槽を外郭内に内包し、外郭の前面、左右側面のいずれかの一部に点検口を設けたから、使用者は外槽に付着したかびの状況を目視で確認することができ、かびを除去する時期やかびを除去した後の効果の確認をすることができ、使い勝手のよい安心感のある洗濯機を提供することができる。
【図面の簡単な説明】
【図１】本発明の第１の実施例の洗濯機の縦断面図
【図２】同洗濯機の外観斜視図
【図３】本発明の第２の実施例の洗濯機の要部斜視図
【図４】本発明の第３の実施例の洗濯機の縦断面図
【図５】従来の洗濯機の縦断面図
【符号の説明】
４  内槽
１６  外郭
１７  外槽
１８  点検口
【図１】
2004222977.tif 000003
【図２】
2004222977.tif 000004
【図３】
2004222977.tif 000005
【図４】
2004222977.tif 000006
【図５】
2004222977.tif 000007